(57)【特許請求の範囲】
【請求項１】
少なくとも、テーブルと、テーブルを上下させるワイヤとプーリとテーブル昇降用モータからなる用紙積載部と、テーブルが用紙を上下させる際に用紙ピック部側の用紙のガイドとなる用紙ガイドと、給紙ローラと、分離ローラと、上下２段に設けられる構造としたフレームからなる給紙装置において、
上下２段の用紙給紙部の間を仕切るステーに開口部と、開口部を塞ぐ透明なカバーを設けたことを特徴とする給紙装置。
【請求項２】
少なくとも、テーブルと、テーブルを上下させるワイヤとプーリとテーブル昇降用モータからなる用紙積載部と、テーブルが用紙を上下させる際に用紙ピック部側の用紙のガイドとなる用紙ガイドと、給紙ローラと、分離ローラと、上下２段に設けられる構造としたフレームからなる給紙装置において、
給紙装置の上下２段の用紙給紙部の間を仕切るステーに設けた開口部が、多数のφ１０mm以下程度の穴であることを特徴とする給紙装置。
【発明の詳細な説明】
【０００１】
【発明の属する技術分野】
本発明は、カット紙を扱う複写機やレーザプリンタ等の電子写真装置の給紙装置に関するものである。
【０００２】
【従来の技術】
従来の上下２段の用紙給紙部からなる給紙装置は、下段側のローラと分離ローラの交換は、上段側のテーブルを上昇させ、上下の用紙給紙部を仕切るステーの開口部を覆う部品を取り外した後に交換作業を行っていた。また、ステーに開口部が無い場合は、ステーの下側のみの限られたエリア内でローラの交換作業を行うことを必要としていた。
【０００３】
【発明が解決しようとする課題】
この種の給紙装置では、上下２段の下段側の用紙給紙部のローラ交換は、上段側のテーブルを上昇させた状態で、ステーの開口部を塞ぐ部品を取り外し後ローラの交換作業を行うため、作業時間に多くの時間を費やしていた。また、このような構造では、外した部品を元へ戻す作業を忘れた際に事故を起こす等の問題や、ステーに開口部が無い場合はステーの下側の限られたエリアでのローラの交換作業を行わなければならず、作業効率が良くなかった。また、ローラが完全に取付けられているか確認することが困難なため、ローラが所定の位置に取付けられず用紙ジャムを発生する等の課題も発生し、特にローラの交換は寿命により定期的に行うためプリンタの保守上の大きな課題であった。
【０００４】
本発明の目的は、前記給紙ローラや分離ローラの交換が簡単に行え、且つ安定した用紙搬送を得られる給紙装置を提供するものである。
【０００５】
【課題を解決するための手段】
上記目的は、抜け止め用のプラスチック製スナップフィットを有する２個の給紙ローラと、分離ローラと、スナップフィット用の溝を有する給紙ローラの駆動シャフトと、分離ローラの回転シャフトと、給紙ローラを駆動するモータからなる用紙ピック部と、用紙積載用のテーブルと、テーブルを上下させるワイヤと、プーリと、テーブル昇降用のモータからなる用紙積載部と、テーブルが用紙を上下させる際に用紙ピック部側の用紙のガイドとなる用紙ガイドと、給紙ローラと分離ローラ周辺部に開閉可能なローラカバが設けられている用紙ガイド部で構成された用紙給紙部を、上下２段に設けられる構造としたフレームを具備する給紙装置において、上下２段の用紙給紙部の間を仕切るステーに開口部と開口部を塞ぐプラスチック等で作られた透明なカバーを有した構成により達成される。
【０００６】
【発明の実施の形態】
以下、本発明の実施例を図面を参照しながら説明する。
【０００７】
はじめに図３を用いて本発明の給紙装置、及びそこから給紙される用紙を印刷する印刷装置の例を示す。なお、印刷装置としては、カット紙用レーザプリンタの構成を例示した。ここでは特に、用紙積載量が1000シート以上の用紙給紙部を上下方向に２つ設けられた給紙装置を持つものである。
【０００８】
図３において、用紙２４がテーブル６上にセットされ、セットされた用紙２４は給紙ローラ１と搬送ローラ１５とタイミングローラ１６によりレジストローラ１７に搬送される。用紙２４は、レジストローラ１７によりドラム１８の回転に同期し搬送され、用紙２４表面にドラム１８表面のトナー像１９が転写器２０により転写される。さらに定着機２１に搬送され、用紙２４上のトナー像１９は定着機２１により加圧・加熱され、用紙２４に定着される。用紙２４は、定着機２１から搬送ロール２２によりスタッカ２３に搬送され、スタッキングされる。以上の動作を繰り返すことにより印刷動作が継続される。
【０００９】
次に図１、２を用いて給紙装置の構成を詳細に説明する。
【００１０】
図1（ａ）に本願発明の給紙装置の残体構成を示す。用紙給紙部は、抜け止め用のプラスチック製のスナップフィット２を有する２個の給紙ローラ１と、分離ローラ３と、図１（ｃ）のスナップフィット用の溝を有する給紙ローラの駆動シャフト１ａと、分離ローラ３の回転シャフト４と、駆動シャフト１ａを介して給紙ローラ１を駆動するモータ５からなる用紙ピック部と、用紙積載用テーブル６と、テーブル６を昇降させるワイヤ７と、プーリ８と、テーブル昇降用モータ９からなる用紙積載部と、テーブル６が用紙２４を上下させる際に用紙ピック部側の用紙のガイドとなる用紙ガイド１０と、給紙ローラ１と分離ローラ３周辺部に開閉可能なローラカバ１１が設けられている用紙ガイド部から構成されている。
【００１１】
図１（ｂ）の通り、給紙装置は用紙給紙部がフレーム１２に上下２段に設けられ、上下２段の用紙給紙部の間を透明なカバー１４で塞がれる開口部１３ａを持つステー１３が仕切る構成となっている。
【００１２】
図２においてステー１３の開口部１３ａより透明なカバー１４を通して下段側の用紙ピック部の給紙ローラ１と分離ローラ３を確認できる。
【００１３】
図１、２の上記構成において給紙装置の下段側の給紙ローラ１と分離ローラ３の交換作業は、上段側のテーブル６を上昇させた状態で下段側のローラカバー１１を開き、ステー１３の開口部１３ａより透明なカバー１４を通して給紙ローラ１と分離ローラ３の位置を確認し、ステー１３の下側よりローラに直接アクセスすればローラはシャフトにスナップフィット２で固定されているだけなので容易に給紙ローラ１と分離ローラ３を駆動シャフト１ａと回転シャフト４より着脱することができる。
【００１４】
なお、本発明の他の実施例としては、例えばステー１３にφ１０mm以下の穴を給紙ローラ１と分離ローラ３が上段から確認できる程度に多数設けた構成であっても、同様の効果が得られる。
【００１５】
上記構成によれば上下２段の用紙給紙部を持つ給紙装置の下段側の用紙給紙部の給紙ローラ１と分離ローラ３の交換は、ステー１３の開口部１３ａより透明なカバー１４を通して交換作業を目視で確認できるので簡単に給紙ローラ１と分離ローラ３の交換を行うことができる。
【００１６】
【発明の効果】
以上述べた如く本発明によれば、給紙ローラと分離ローラの交換が簡単に行え、且つ安定した用紙搬送を得られる給紙装置を提供することができる。
【図面の簡単な説明】
【図１】  本発明の一実施例である給紙装置の模式図である。
【図２】  本発明の一実施例である給紙装置の斜視図である。
【図３】  本発明の一実施例の給紙装置と印刷装置の模式図である。
【符号の説明】
１…給紙ローラ、１ａ…駆動シャフト、２…スナップフィット、３…分離ローラ、４…回転シャフト、５…モータ、６…テーブル、７…ワイヤ、８…プーリ、９…テーブル昇降用モータ、１０…用紙ガイド、１１…ローラカバ、１２…フレーム、１２a…トップカバ、１３…ステー、１３a…開口部、１４…カバ、１５…搬送ローラ、１６…タイミングローラ、１７…レジストローラ、１８…ドラム、１９…トナー像、２０…転写機、２１…定着機、２２…搬送ローラ、２３…スタッカ、２４…用紙。
【図１】
0003727018.tif 000002
【図２】
0003727018.tif 000003
【図３】
0003727018.tif 000004